(57)【特許請求の範囲】
【請求項１】
使用者が着座するための座面を有する便座を昇降させることで、使用者の大便器に対する立ち座りを補助する便座昇降装置であって、
前記便座を支持する便座支持部と、
前記大便器に対する前記便座の相対的な位置及び姿勢の少なくとも一方が変化するように前記便座支持部を駆動する駆動部と、を備え、
前記駆動部は、前記便座支持部を前記大便器に近接させることで前記便座を着座位置に位置させ、この着座位置の前記便座に使用者が着座した状態における足裏の接地位置からその足を動かすことなく、その足裏全体が接地した状態で足首関節の角度を広げるために、前記便座が前記着座位置から後方且つ上方に動くように前記便座支持部を駆動し、更に、前記便座が後方に動き、且つ前記便座の先端がその後端よりも下がるように回動しながら前記便座全体が上方に動くように、前記便座支持部を駆動し、更に、前記便座の回動角度の変化量が第一変化量である第一領域の後に、前記便座の回動角度の変化量が第二変化量である第二領域が形成されるように前記便座支持部を駆動するものであって、前記第一変化量よりも前記第二変化量が大きいことを特徴とする便座昇降装置。
【請求項２】
前記駆動部は、前記便座支持部が支持する前記便座を着座位置から動かすにあたって、前記便座が回動せずに後方且つ上方に動き、その後前記便座が回動するように前記便座支持部を駆動することを特徴とする請求項１に記載の便座昇降装置。
【請求項３】
前記駆動部は、前記便座が後方に動いた後に前方に動くように前記便座支持部を駆動することを特徴とする請求項１に記載の便座昇降装置。
【請求項４】
前記駆動部は、前記便座が前方に動き、且つ前記便座の先端がその後端よりも下がるように回動しながら前記便座全体が上方に動くように、前記便座支持部を駆動することを特徴とする請求項３に記載の便座昇降装置。
【請求項５】
前記駆動部は、前記便座が後方に動き且つ前記便座の先端がその後端よりも下がって回動する際の回動角度の変化量が、前記便座が前方に動き且つ前記便座の先端がその後端よりも下がって回動する際の回動角度の変化量よりも小さくなるように、前記便座支持部を駆動することを特徴とする請求項４に記載の便座昇降装置。
【請求項６】
前記駆動部は、前記便座が前方に動く際に、前記便座の回動角度の変化量が第三変化量である第三領域の後に、前記便座の回動角度の変化量が第四変化量である第四領域が形成されるように前記便座支持部を駆動するものであって、前記第四変化量よりも前記第三変化量が大きいことを特徴とする請求項４に記載の便座昇降装置。
【請求項７】
前記駆動部は、前記便座が後方に動く際の垂直上方への移動距離である第一上昇移動量が、前記便座が前方に動く際の垂直上方への移動距離である第二上昇移動量よりも小さくなるように、前記便座支持部を駆動することを特徴とする請求項３に記載の便座昇降装置。
【請求項８】
前記駆動部は、前記便座が前方に動く際に、前記便座の先端が前記便器の先端の位置よりも更に前方に位置するまで動くように、前記便座支持部を駆動することを特徴とする請求項３に記載の便座昇降装置。
【請求項９】
前記駆動部は、前記便座が前方に動く際に、前記便座の回動角度の変化量が第五変化量である第五領域の後に、前記便座の回動角度の変化量が第六変化量である第六領域が形成されるように前記便座支持部を駆動するものであって、
前記第六変化量よりも前記第五変化量が大きく、
前記第五領域は、前記便座の先端が前記便器の先端の位置よりも後方に位置する領域に形成され、
前記第六領域は、前記便座の先端が前記便器の先端の位置よりも前方に位置する領域に形成されることを特徴とする請求項８に記載の便座昇降装置。
【請求項１０】
前記駆動部は、前記便座の先端が前記便器の先端の位置よりも前方に動く領域では、前記便座を回動させないように前記便座支持部を駆動することを特徴とする請求項９に記載の便座昇降装置。
【発明の詳細な説明】
【技術分野】
【０００１】
本発明は、使用者が着座するための座面を有する便座を昇降させることで、使用者の大便器に対する立ち座りを補助する便座昇降装置に関する。
【背景技術】
【０００２】
身体障害者や高齢者の中には、完全に歩行が困難ではないものの、椅子状のものに腰を下ろしたり立ち上がったりする立ち座りには困難を伴う方が多い。そのような立ち座りに困難を伴う方が洋式便器を使用するにあたって、便座に腰を下ろしたり便座から立ち上がったりする際の肉体的な負担は非常に大きなものである。そこで、使用者が着座するための座面を有する便座を昇降させることで、使用者の大便器に対する立ち座りを補助する便座昇降装置が提案されている（下記特許文献１参照）。
【０００３】
下記特許文献１に記載の便座昇降装置は、立ち座りに困難を伴う使用者が着座するための座面を有する便座を昇降させることで、使用者の大便器に対する立ち座りを補助する基本性能を維持しつつ、床面との隙間を広く確保して清掃性を向上させるものである。
【先行技術文献】
【特許文献】
【０００４】
【特許文献１】特開２００６−９５０８５号公報
【発明の概要】
【発明が解決しようとする課題】
【０００５】
上記特許文献１に記載の便座昇降装置は、立ち座りに困難を伴う使用者の大便器に対する立ち座りを補助する基本性能を維持しつつ、清掃性も向上するものであるから、それ以前の便座昇降装置に対して優れた機能を持つものである。
【０００６】
ところで、完全に歩行が困難ではないものの、椅子や大便器といった椅子状のものに腰を下ろしたり立ち上がったりする立ち座りには困難を伴う方には様々な段階の方がおり、少しの補助で立ち座りを行うことができる方もいれば、体の動きによりきめ細かく対応した補助を必要とする方もいる。後者の方の中には、下肢の筋肉が弱っており、前後に体の重心が揺れ動くとそれに対応することが困難な方も多い。そのような方々は、上記特許文献１に記載のような便座昇降装置を用いたとしても、やはり便座への立ち座りは困難である。
【０００７】
具体的に考察すると従来の便座昇降装置は、便座が大便器に当接した着座位置から便座を上昇させつつ、前端を下げつつ後端を上げるように便座を回動させ、更には便座を大便器から前方に押し出すように動かすことで使用者の立ち座りを補助している。健常者や下肢の筋肉がさほど弱っていない方にとっては、このような便座の動きでも使用者の立ち座りを十分に補助するものと考えられるが、下肢の筋肉が弱って立ち座りが極めて困難な方々にとっては十分なものではない。
【０００８】
下肢の筋肉が弱った方々がこのような便座の挙動を示す便座昇降装置を用いると、便座から立ち上がる動作の場合には、中腰の姿勢のまま臀部が前方且つ上方に押し出されることになり、自分の重心の前方への移動を支えられずにバランスを崩してしまうおそれがある。バランスを崩さずに立ち上がるためには、足裏が接地している位置や便座に対する臀部の位置を微妙に調整する必要があるが、下肢の筋肉が弱った方々は足首や膝の関節の動きも円滑にはいかないものであり、そのような微妙な調整をすることは極めて困難である。このように便座から立ち上がる際と同様に、便座に着座する際に便座昇降装置のサポートを受けるに当たっても、同様にバランスを崩すおそれがある。従って、下肢の筋肉が弱った方々が従来の便座昇降装置を用いる際には、実際には他の人の補助が必要となるため、このような方々が独力で立ち座りすることにも対応できる便座昇降装置が求められている。
【０００９】
本発明はこのような課題に鑑みてなされたものであり、その目的は、使用者が着座するための座面を有する便座を昇降させることで、使用者の大便器に対する立ち座りを補助する便座昇降装置であって、下肢の筋肉が弱った方々もバランスを崩さずに立ち座りができるように補助することが可能な便座昇降装置を提供することにある。
【課題を解決するための手段】
【００１０】
上記課題を解決するために本発明に係る便座昇降装置は、使用者が着座するための座面を有する便座を昇降させることで、使用者の大便器に対する立ち座りを補助する便座昇降装置であって、前記便座を支持する便座支持部と、前記大便器に対する前記便座の相対的な位置及び姿勢の少なくとも一方が変化するように前記便座支持部を駆動する駆動部と、を備え、前記駆動部は、前記便座支持部を前記大便器に近接させることで前記便座を着座位置に位置させ、この着座位置の前記便座に使用者が着座した状態における足裏の接地位置からその足を動かすことなく、その足裏全体が接地した状態で足首関節の角度を広げるために、前記便座が前記着座位置から後方且つ上方に動くように前記便座支持部を駆動し、更に、前記駆動部は、前記便座が後方に動き、且つ前記便座の先端がその後端よりも下がるように回動しながら前記便座全体が上方に動くように、前記便座支持部を駆動し、更に、前記駆動部は、前記便座の回動角度の変化量が第一変化量である第一領域の後に、前記便座の回動角度の変化量が第二変化量である第二領域が形成されるように前記便座支持部を駆動するものであって、前記第一変化量よりも前記第二変化量が大きいことを特徴とする。
【００１１】
本発明に係る便座昇降装置は、単純に臀部を上方且つ前方に押し出すことで使用者の立ち座りを補助するものではなく、下肢の筋肉が弱り足首や膝の関節の動きも円滑ではないような使用者の方々にも安心して使っていただけるように、使用者の足首関節や膝関節の動きに着目して便座からの立ち座りを補助するものである。そのように使用者の立ち座りを補助するため、本発明に係る便座昇降装置では、便座を着座位置から後方且つ上方に動かして、着座位置の便座に使用者が着座した状態における足裏の接地位置からその足を動かすことなく、足裏全体が接地した状態で足首関節の角度を広げることができるものとしている。このように便座を動かすことで、臀部を便座に乗せたまま動かすことがない上に、足の接地位置も動かさずに、膝が足首よりも前に出ることもなく、足首関節や膝関節を広げて伸ばすように便座を動かすことになり、便座の上に安定して着座したまま立ち上がる体勢へと移行させることができる。つまり、両足と臀部との三点で体重を支えながら立ち上がる体勢へと移行し、更には起立姿勢へと立ち上がる準備ができるものである。従って、膝が足首よりも前に出てしまい、重心を足裏の真上に保つために足の筋力を使ってバランスを保つような動作が不要になり、下肢の筋肉が弱り足首や膝の関節の動きも円滑ではないような使用者の方々であってもバランスを崩さずに立ち座りができるように補助することが可能となる。
【００１３】
また、便座が後方に動くことに加えて、便座の先端が下端よりも下がるように回動するので、使用者の膝関節を確実に広げて伸ばすように便座を動かすことができる。このように使用者の膝関節も広げて伸ばしつつ足首関節も広げて伸ばしながら、便座全体が上方に動くように動かしているので、便座の上に安定して着座したまま立ち上がる体勢へとより自然に移行させることができる。
【００１５】
更に本発明に係る便座昇降装置は、使用者の足首関節や膝関節を広げて伸ばしながら、便座の上に安定して着座したまま立ち上がる体勢へと移行させるように便座を動かすものである。従って、足首関節の開き具合や膝関節の開き具合は、使用者がどのような体勢で便座に着座しているかに応じて適切なものとすべきであり、便座の回動角度もこれに応じて調整されるべきものである。そこで、便座の回動角度の変化量が比較的小さい第一変化量である第一領域の後に、便座の回動角度の変化量が比較的大きい第二変化量である第二領域が形成されるように便座を動かすものとしている。このように便座を動かすことで、第一領域においては便座の回動角度を比較的小さく保ちつつ便座を後方且つ上方に動かすことになり、使用者の膝関節を確実に広げて起立姿勢における膝関節の角度に近づけることができる。第一領域の後に形成される第二領域においては、膝の状態が起立して体を支える状態に近づいている使用者を起立姿勢に移行させるために、便座の回動角度を比較的大きくし、使用者を起立させやすくしている。このように構成することで、膝関節が十分に広がっていない状態で便座が過度に回動してしまい、重心が前方に移動してしまったり、起立する準備が整っていない足側にかかる荷重が臀部側に比較して増えてしまったりする結果として使用者がバランスを崩すことを確実に回避できる。
【００１６】
また本発明に係る便座昇降装置では、前記駆動部は、前記便座支持部が着座位置から前記便座を動かすにあたって、前記便座が回動せずに後方且つ上方に動き、その後前記便座が回動するように前記便座支持部を駆動することも好ましい。
【００１７】
この好ましい態様では、便座が回動する前に、便座を着座位置から後方且つ上方に動かすので、便座が回動して前方に体重がかかりやすくなる前に、便座を後方且つ上方に動かすことで使用者の膝関節を広げることができる。従って、膝関節が十分に広がっていない状態で体重が前方にかかることを確実に防止することができ、便座の上に安定して着座したまま立ち上がる体勢へとより自然に移行させることができる。
【００１８】
また本発明に係る便座昇降装置では、前記駆動部は、前記便座が後方に動いた後に前方に動くように前記便座支持部を駆動することも好ましい。
【００１９】
本発明に係る便座昇降装置は、使用者の足首関節や膝関節を広げて伸ばしながら、便座の上に安定して着座したまま立ち上がる体勢へと移行させるように便座を動かすものである。そのために、便座を後方且つ上方に動かして、使用者の足首関節及び膝関節を広げながら、便座の上に安定して着座したまま立ち上がる体勢へとより自然に移行させるものとしている。更にこの好ましい態様では、便座を後方且つ上方に動かして、使用者の足首関節及び膝関節を広げた後に、便座を前方に動かしている。このように便座を動かすことで、使用者が便座にもたれかかった状態を維持したまま足首関節及び膝関節を広げて立ち上がる準備をし、その準備が整って立ち上がる体勢となった後に便座を前方に動かして起立姿勢に移行させている。従って、膝関節が広がって十分に伸びる前に足に体重がかかってしまい、重心が足よりも前方に移動してしまったり、起立する準備が整っていない足側にかかる荷重が臀部側に比較して増えてしまったりする結果として使用者がバランスを崩すことを確実に回避できる。
【００２０】
また本発明に係る便座昇降装置では、前記駆動部は、前記便座が前方に動き、且つ前記便座の先端がその後端よりも下がるように回動しながら前記便座全体が上方に動くように、前記便座支持部を駆動することも好ましい。
【００２１】
この好ましい態様では、便座が前方に動くことに加えて、便座の先端が下端よりも下がるように回動するので、使用者の足裏が床から離れないように便座を動かすことができる。このように使用者の膝関節も広げて伸ばしつつ足首関節も広げて伸ばした後に、便座全体が前方且つ上方に動くように動かしているので、足裏を床から離れないように当接させながら立ち上がる体勢及び起立姿勢へとより自然に移行させることができる。
【００２２】
また本発明に係る便座昇降装置では、前記駆動部は、前記便座が後方に動き且つ前記便座の先端がその後端よりも下がって回動する際の回動角度の変化量が、前記便座が前方に動き且つ前記便座の先端がその後端よりも下がって回動する際の回動角度の変化量よりも小さくなるように、前記便座支持部を駆動することも好ましい。
【００２３】
本発明では、便座を後方且つ上方に動かして、使用者の足首関節及び膝関節を広げた後に、便座を前方に動かしている。このように便座を動かすことで、使用者が便座にもたれかかった状態を維持したまま足首関節及び膝関節を広げて立ち上がる準備をし、その準備が整って立ち上がる体勢となった後に便座を前方に動かして起立姿勢に移行させている。そこでこの好ましい態様では、便座が後方に動き且つ回動する際の回動角度の変化量が、便座が前方に動き且つ回動する際の回動角度の変化量よりも小さくなるように、便座を動かしている。このように便座を動かすことで、主に使用者が足首関節及び膝関節を広げて立ち上がる準備をする段階である便座の後方移動段階においては、便座の回動角度を比較的抑制することで使用者の重心を十分に後方に下げ、足首関節及び膝関節の広がりを確保することができる。また、使用者が足首関節及び膝関節を広げて立ち上がる準備をした後で、主に使用者が立ち上がる体勢から起立姿勢に移行する段階である便座の前方移動段階においては、便座の回動角度を比較的大きくすることで起立姿勢への移行をより円滑に補助することができる。
【００２４】
また本発明に係る便座昇降装置では、前記駆動部は、前記便座が前方に動く際に、前記便座の回動角度の変化量が第三変化量である第三領域の後に、前記便座の回動角度の変化量が第四変化量である第四領域が形成されるように前記便座支持部を駆動するものであって、前記第四変化量よりも前記第三変化量が大きいことも好ましい。
【００２５】
本発明では、便座を後方且つ上方に動かして、使用者の足首関節及び膝関節を広げた後に、便座を前方に動かしている。このように便座を動かすことで、使用者が便座にもたれかかった状態を維持したまま足首関節及び膝関節を広げて立ち上がる準備をし、その準備が整って立ち上がる体勢となった後に便座を前方に動かして起立姿勢に移行させている。そこでこの好ましい態様では、主に使用者が足首関節及び膝関節を広げて立ち上がる準備をする段階である便座の後方移動段階を経て、主に使用者が立ち上がる体勢から起立姿勢に移行する段階である便座の前方移動段階に移行した後の初期段階において、立ち上がる体勢ができている使用者を早期に起立姿勢に移行させて、使用者にとっての立ち上がり動作の違和感を低減させている。具体的には、便座が前方に動く際に、便座の回動角度の変化量が第三変化量である第三領域の後に、便座の回動角度の変化量が第四変化量である第四領域が形成されるようにし、第四変化量よりも第三変化量が大きいように動かしている。このように便座を動かすことで、立ち上がる体勢ができている使用者を早期に起立姿勢に移行させている。
【００２６】
また本発明に係る便座昇降装置では、前記駆動部は、前記便座が後方に動く際の垂直上方への移動距離である第一上昇移動量が、前記便座が前方に動く際の垂直上方への移動距離である第二上昇移動量よりも小さくなるように、前記便座支持部を駆動することも好ましい。
【００２７】
本発明では、便座を後方且つ上方に動かして、使用者の足首関節及び膝関節を広げた後に、便座を前方に動かしている。このように便座を動かすことで、使用者が便座にもたれかかった状態を維持したまま足首関節及び膝関節を広げて立ち上がる準備をし、その準備が整って立ち上がる体勢となった後に便座を前方に動かして起立姿勢に移行させている。従って、主に使用者が足首関節及び膝関節を広げて立ち上がる準備をする段階である便座の後方移動段階では、まだ完全には立ち上がる準備ができていない場合もあり、その点について十分な配慮が求められる。そこでこの好ましい態様では、便座が後方に動く際の垂直上方への移動距離である第一上昇移動量が、便座が前方に動く際の垂直上方への移動距離である第二上昇移動量よりも小さくなるようにすることで、まだ立ち上がる準備ができていないおそれがある段階での便座の上昇を抑制し、便座の過度の上昇によって使用者が便座からずり落ちたり、膝関節が十分に広がっておらず荷重を受け止められない状態で足に荷重が掛かってしまったりといった事態の発生を確実に回避することができる。
【００２８】
また本発明に係る便座昇降装置では、前記駆動部は、前記便座が前方に動く際に、前記便座の先端が前記便器の先端の位置よりも更に前方に位置するまで動くように、前記便座支持部を駆動することも好ましい。
【００２９】
本発明では、便座を後方且つ上方に動かして、使用者の足首関節及び膝関節を広げた後に、便座を前方に動かしている。このように便座を動かすことで、使用者が便座にもたれかかった状態を維持したまま足首関節及び膝関節を広げて立ち上がる準備をし、その準備が整って立ち上がる体勢となった後に便座を前方に動かして起立姿勢に移行させている。ここで、便座を前方に動かしている段階であっても、実際には使用者は便座に少なくとも体重の一部を預けて寄りかかった状態となっている場合が多い。そこでこの好ましい態様では、便座が前方に動く際に、便座の先端が便器の先端の位置よりも更に前方に位置するまで動かしているので、使用者は両膝関節が十分に伸びた段階で起立姿勢になるように両足への体重移動を円滑に行うことができる。従って、下肢の筋肉が弱っている方々であっても、起立するまでに無理に体重を支えることがなく、起立する準備と呼応させて使用者を起立させることができる。
【００３０】
また本発明に係る便座昇降装置では、前記駆動部は、前記便座が前方に動く際に、前記便座の回動角度の変化量が第五変化量である第五領域の後に、前記便座の回動角度の変化量が第六変化量である第六領域が形成されるように前記便座支持部を駆動するものであって、前記第六変化量よりも前記第五変化量が大きく、前記第五領域は、前記便座の先端が前記便器の先端の位置よりも後方に位置する領域に形成され、前記第六領域は、前記便座の先端が前記便器の先端の位置よりも前方に位置する領域に形成されることも好ましい。
【００３１】
この好ましい態様では、便座の先端が前記便器の先端の位置よりも後方に位置する領域に、便座の回動角度が比較的大きい第五領域が形成され、便座の先端が便器の先端の位置よりも前方に位置する領域に、便座の回動角度が比較的小さい第六領域が形成されている。本発明では、使用者は両膝関節が十分に伸びた段階で起立姿勢になるように両足への体重移動を円滑に行うために、便座の先端が便器の先端の位置よりも更に前方に位置するまで動かしているので、この段階で便座の回動角度を大きくすると、使用者は後方から突き飛ばされるような感覚を受けてしまう。そこでこの好ましい態様のように便座の回動角度を抑制することで、使用者が後方から突き飛ばされるような感覚を受けることなく、両膝関節が十分に伸びた段階で起立姿勢になるように両足への体重移動を円滑に行うことができる。
【００３２】
また本発明に係る便座昇降装置では、前記駆動部は、前記便座の先端が前記便器の先端の位置よりも前方に動く領域では、前記便座を回動させないように前記便座支持部を駆動することも好ましい。
【００３３】
この好ましい態様では、便座の先端が便器の先端の位置よりも前方に動く領域では便座を回動させないようにすることで、確実に使用者が後方から突き飛ばされるような感覚を受けることなく、両膝関節が十分に伸びた段階で起立姿勢になるように両足への体重移動を円滑に行うことができる。
【００３４】
尚、本発明に係る便座昇降装置及びその好ましい態様について、上述のように主に便座から立ち上がることに着目して説明したが、本発明に係る便座昇降装置及びその好ましい態様は便座に着座する際にも有効に使用者の着座を補助することができるものである。つまり、起立姿勢で便座に背を向けるようにして立った使用者が、便器から上方に離れた便座に対して臀部を当接させ、立ち上がるのとは逆の動作軌跡で動く便座に従って着座することができる。
【発明の効果】
【００３５】
本発明によれば、使用者が着座するための座面を有する便座を昇降させることで、使用者の大便器に対する立ち座りを補助する便座昇降装置であって、下肢の筋肉が弱った方々もバランスを崩さずに立ち座りができるように補助することが可能な便座昇降装置を提供することができる。
【図面の簡単な説明】
【００３６】
【図１】本願発明の実施形態に係る便座昇降装置を示す斜視図である。
【図２】図１に示す便座昇降装置を用いた場合の便座の挙動を示す図である。
【図３】従来の便座昇降装置を用いた場合の便座の挙動を示す図である。
【図４】通常の便座において使用者が立ち上がる様子を示す図である。
【図５】図１に示す便座昇降装置を用いた場合の便座の挙動を詳細に示す図である。
【図６】図１に示す便座昇降装置を用いた場合の便座の挙動を詳細に示す図であって、便座の回動角度について説明するための図である。
【図７】図１に示す便座昇降装置を用いた場合の便座の挙動を詳細に示す図であって、便座の回動角度について説明するための図である。
【図８】図１に示す便座昇降装置を用いた場合の便座の挙動を詳細に示す図であって、便座の回動角度について説明するための図である。
【発明を実施するための形態】
【００３７】
以下、添付図面を参照しながら本発明の実施の形態について説明する。説明の理解を容易にするため、各図面において同一の構成要素に対しては可能な限り同一の符号を付して、重複する説明は省略する。
【００３８】
本発明の実施形態に係る便座昇降装置について図１を参照しながら説明する。図１は、本発明の実施形態に係る便座昇降装置を示す斜視図である。図１に示すように、便座昇降装置ＳＡは、大便器ＴＢに取り付けられるものであって、使用者が着座するための座面を有する便座ＳＴを昇降させることで、使用者の大便器ＴＢに対する立ち座りを補助する装置である。便座昇降装置ＳＡは、装置本体１０と、駆動機構部１２（駆動部）と、駆動リンク部１４（駆動部）と、便座支持部１６と、肘掛け１８，１８とを備えている。
【００３９】
装置本体１０は、駆動機構部１２と、駆動リンク部１４と、便座支持部１６と、肘掛け１８，１８とを支えて大便器ＴＢに取り付けるための部分である。本実施形態の場合、装置本体１０は、大便器ＴＢに固定されていると共に、トイレ空間の床にも固定されている。
【００４０】
便座支持部１６は、便座ＳＴを支持する部分である。具体的には、便座支持部１６は、便座ＳＴをその上に戴置し固定することで便座ＳＴを支持している。便座支持部１６には一対の肘掛け１８，１８が取り付けられている。
【００４１】
駆動部を構成する駆動機構部１２及び駆動リンク部１４は、大便器ＴＢに対する便座ＳＴの相対的な位置及び姿勢の少なくとも一方が変化するように便座支持部１６を駆動する部分である。駆動機構部１２は、駆動リンク部１４を動かすための駆動源としてモータやギアを備えている。駆動リンク部１４は、駆動機構部１２から出力される駆動力を便座支持部１６に伝達し、便座支持部１６の位置を変化させたり、便座支持部１６を回動させてその姿勢を変化させたりする機構を備えている。
【００４２】
上述したような構成により、便座昇降装置ＳＡは、駆動部を構成する駆動機構部１２及び駆動リンク部１４が、便座支持部１６を大便器ＴＢに近接させることで便座ＳＴを着座位置に位置させ、この着座位置の便座ＳＴに使用者が着座した状態における足裏の接地位置からその足を動かすことなく、その足裏全体が接地した状態で足首関節の角度を広げるために、便座ＳＴが着座位置から後方且つ上方に動くように便座支持部１６を駆動するように構成されている。
【００４３】
続いて、便座ＳＴの挙動と便座ＳＴの挙動に応じた使用者の動きについて、図２〜図４を参照しながら説明する。図２は、便座昇降装置ＳＡを用いた場合の便座ＳＴの挙動を示す図である。図３は、従来の便座昇降装置を用いた場合の便座ＳＴの挙動を示す図である。図４は、通常の便座ＳＴのみが設置されている場合において使用者が立ち上がる様子を示す図である。図２〜図４それぞれにおいて、（ａ）は使用者が着座する姿勢を示し、（ｂ）（ｃ）と徐々に立ち上がる様子を示し、（ｄ）では起立した状態を示している。また、図２〜図４それぞれにおいて、使用者Ｈの足首Ｈａと膝Ｈｂの挙動を示しており、足裏の後端に沿った後端線ＦＬａと足裏の前端に沿った前端線ＦＬｂとの関係において使用者Ｈの膝Ｈｂがどの位置に動くかを示している。
【００４４】
続いて、主に図２を参照しながら、便座昇降装置ＳＡを用いた場合の便座ＳＴの挙動を説明する。図２の（ａ）から（ｂ）に示すように、着座位置に便座ＳＴがある（ａ）の状態から、（ｂ）の状態に向けて便座ＳＴは後方且つ上方に動いている。便座ＳＴは、後方且つ上方に動くことで、着座位置の便座ＳＴに使用者Ｈが着座した状態における足裏の接地位置からその足を動かすことなく、その足裏全体が接地した状態で足首Ｈａの関節の角度を広げており、膝Ｈｂの関節の角度も広げている。便座ＳＴは、（ａ）の状態から（ｂ）の状態に至るまでに、その前端が下がる一方で後端が上がるように回動している。このように便座ＳＴが回動することで、膝Ｈｂの関節の角度がより広がっている。
【００４５】
図２の（ａ）の状態から（ｂ）の状態に向けて便座ＳＴが後方且つ上方に動いた後、図２の（ｂ）から（ｃ）に示すように、便座ＳＴは前方且つ上方に動く。便座ＳＴは、前方且つ上方に動くことで、足首Ｈａの関節及び膝Ｈｂの関節が広がって立ち上がる準備ができつつある使用者Ｈを起立姿勢へと近づける。
【００４６】
図２の（ｃ）の状態では、使用者Ｈの足首Ｈａの関節の角度は着座姿勢の場合に近くなり、足裏の後端に沿った後端線ＦＬａ上に膝Ｈｂが位置している。図２の（ｃ）の状態においても、使用者Ｈは便座ＳＴにもたれかかった状態となっているので、前のめりになることなく足に負担がかからない状態となっている。図２の（ｃ）から（ｄ）に向けては、便座ＳＴは更に前方に動き、使用者Ｈが起立姿勢を取れるように補助している。
【００４７】
一方、図３に示す従来の便座昇降装置の例では、図３の（ａ）（ｂ）（ｃ）（ｄ）に示すように、便座ＳＴが単純に使用者Ｈの臀部を上方且つ前方に押し出すことで使用者Ｈの立ち上がりを補助している。従って、図３の（ｂ）と図２の（ｂ）とを比較すると明白なように、図３の（ｂ）に示す従来の例では、使用者Ｈの足首Ｈａの関節の角度は狭められ、膝Ｈｂは足裏の後端線ＦＬａよりも前端線ＦＬｂ側に動いており、使用者Ｈは重心が前に向おうとした前のめりの姿勢になっている。これは、図４に示す昇降装置のない便座ＳＴから起立する場合（図３の（ｂ）と図４の（ｂ）を比較参照）よりは使用者Ｈの前のめり姿勢が改善されているけれども、使用者Ｈが前のめりになりある程度の負担が掛かっているものである。図３に示す従来の便座昇降装置の例では、使用者Ｈは前のめりに倒れてしまうことを防止するため、意識的に若しくは無意識の内に臀部を便座ＳＴの後方にずらしてバランスを取っているものと考えられる。
【００４８】
本実施形態に係る便座昇降装置ＳＡは、従来のように単純に臀部を上方且つ前方に押し出すことで使用者の立ち座りを補助するものではなく、下肢の筋肉が弱り足首や膝の関節の動きも円滑ではないような使用者の方々にも安心して使っていただけるように、使用者の足首関節や膝関節の動きに着目して便座ＳＴからの立ち座りを補助するものである。そのように使用者の立ち座りを補助するため、上述したように便座ＳＴを着座位置（図２の（ａ）に示す位置）から後方且つ上方に動かして、着座位置の便座ＳＴに使用者Ｈが着座した状態における足裏の接地位置からその足を動かすことなく、その足裏全体が接地した状態で足首Ｈａの関節の角度を広げることができるものとしている。
【００４９】
このように便座ＳＴを動かすことで、臀部を便座ＳＴに乗せたまま動かすことがない上に、足の接地位置も動かさずに、膝Ｈｂが足首Ｈａよりも前に出ることもなく、足首Ｈａの関節や膝Ｈｂの関節を広げて伸ばすように便座ＳＴを動かすことになり、使用者Ｈの重心が前方に動かずに便座ＳＴの上に安定して着座したまま立ち上がる体勢へと移行させることができる。つまり、両足と臀部との三点で体重を支えながら立ち上がる体勢へと移行し、更には起立姿勢へと立ち上がる準備ができるものである。従って、従来のように膝Ｈｂが足首Ｈａよりも前に出てしまい、重心を足裏の真上に保つために足の筋力を使ってバランスを保つような動作が不要になり、下肢の筋肉が弱り足首や膝の関節の動きも円滑ではないような使用者の方々であってもバランスを崩さずに立ち座りができるように補助することが可能となる。
【００５０】
更に本実施形態に係る便座昇降装置ＳＡは、図２の（ｂ）から（ｃ）に示すように、便座ＳＴが後方に動いた後に前方に動くように駆動している。つまり、図２の（ａ）から（ｂ）において便座ＳＴを後方且つ上方に動かして、使用者Ｈの足首Ｈａの関節及び膝Ｈｂの関節を広げた後に、便座ＳＴを前方に動かしている。
【００５１】
このように便座ＳＴを動かすことで、使用者Ｈが便座ＳＴにもたれかかった状態を維持したまま足首Ｈａの関節及び膝Ｈｂの関節を広げて立ち上がる準備をし、その準備が整って立ち上がる体勢となった後に便座ＳＴを前方に動かして起立姿勢に移行させている。従って、膝Ｈｂの関節が広がって十分に伸びる前に足に体重がかかってしまい、重心が足よりも前方に移動してしまったり、起立する準備が整っていない足側にかかる荷重が臀部側に比較して増えてしまったりする結果として使用者Ｈがバランスを崩すことを確実に回避できる。
【００５２】
本実施形態に係る便座昇降装置ＳＡは、上述したように便座ＳＴを後方且つ上方に動かした後に、前方且つ上方に動かして使用者Ｈの起立を助けるものである。また、本実施形態に係る便座昇降装置ＳＡは、便座ＳＴの位置を上述したように動かすことに加えて、その前端を下げ後端を上げるように回動させてもいる。続いて、便座ＳＴの回動状態について、図５〜図８を参照しながら説明する。
【００５３】
図５は、便座昇降装置ＳＡを用いた場合の便座ＳＴの挙動を詳細に示す図である。図６は、便座昇降装置ＳＡを用いた場合の便座ＳＴの挙動を詳細に示す図であって、便座ＳＴの回動角度について詳細に説明するための図である。図７は、便座昇降装置ＳＡを用いた場合の便座ＳＴの挙動を詳細に示す図であって、便座の回動角度について詳細に説明するための図である。図８は、便座昇降装置ＳＡを用いた場合の便座ＳＴの挙動を詳細に示す図であって、便座ＳＴの回動角度について詳細に説明するための図である。図５〜図８それぞれにおいて、（ａ）は便座ＳＴの回動状態を示すために便座ＳＴの前端ＳＴａ及び後端ＳＴｂの位置をプロットした図であり、（ｂ）は便座ＳＴに使用者Ｈが着座する常態を示す図である。
【００５４】
図５に示すように、便座ＳＴは、着座位置における前端ＳＴａの位置ＳＴａ１及び後端ＳＴｂの位置ＳＴｂ１から動き始める。便座ＳＴの前端ＳＴａは、位置ＳＴａ１から順に、位置ＳＴａ２，ＳＴａ３，ＳＴａ４，ＳＴａ５，ＳＴａ６，ＳＴａ７，ＳＴａ８を経由して位置ＳＴａ９に至るように動く。便座ＳＴの後端ＳＴｂは、同様に位置ＳＴｂ１から順に、位置ＳＴｂ２，ＳＴｂ３，ＳＴｂ４，ＳＴｂ５，ＳＴｂ６，ＳＴｂ７，ＳＴｂ８を経由して位置ＳＴｂ９に至るように動く。便器ＳＴの前端ＳＴａの位置ＳＴａ１に便器ＳＴの後端ＳＴｂの位置ＳＴｂ１が対応しており、同様に、位置ＳＴａ２，ＳＴａ３，ＳＴａ４，ＳＴａ５，ＳＴａ６，ＳＴａ７，ＳＴａ８，ＳＴａ９それぞれに、位置ＳＴｂ２，ＳＴｂ３，ＳＴｂ４，ＳＴｂ５，ＳＴｂ６，ＳＴｂ７，ＳＴｂ８，ＳＴｂ９が対応している。
【００５５】
図５に示すように、本実施形態に係る便座昇降装置ＳＡでは、便座ＳＴが後方に動き、且つ便座ＳＴの先端ＳＴａがその後端ＳＴｂよりも下がるように回動しながら便座ＳＴ全体が上方に動くように駆動されている（前端ＳＴａの位置ＳＴａ１〜ＳＴａ４、後端ＳＴｂの位置ＳＴｂ１〜ＳＴｂ４）。
【００５６】
このように、便座ＳＴが後方に動くことに加えて、便座ＳＴの先端ＳＴａが下端ＳＴｂよりも下がるように回動するので、使用者Ｈの膝Ｈｂの関節を確実に広げて伸ばす（図２参照）ように便座ＳＴを動かすことができる。このように使用者Ｈの膝Ｈｂの関節も広げて伸ばしつつ足首Ｈａの関節も広げて伸ばしながら（図２参照）、便座ＳＴ全体が上方に動くように動かしているので、使用者Ｈを便座ＳＴの上に安定して着座したまま立ち上がる体勢へとより自然に移行させることができる。
【００５７】
また図５に示すように、便座ＳＴを着座位置である位置ＳＴａ１，ＳＴｂ１から動かすにあたって、便座ＳＴが回動せずに後方且つ上方に動き（前端ＳＴａの位置ＳＴａ１〜ＳＴａ２、後端ＳＴｂの位置ＳＴｂ１〜ＳＴｂ２）、その後便座ＳＴが回動するように駆動されている。
【００５８】
このように、便座ＳＴが回動する前に、便座ＳＴを着座位置から後方且つ上方に動かすので、便座ＳＴが回動して前方に体重がかかりやすくなる前に、便座ＳＴを後方且つ上方に動かすことで使用者Ｈの膝Ｈｂの関節を広げることができる。従って、膝Ｈｂの関節が十分に広がっていない状態で体重が前方にかかることを確実に防止することができ、使用者Ｈを便座ＳＴの上に安定して着座したまま立ち上がる体勢へとより自然に移行させることができる。
【００５９】
また図５に示すように、便座ＳＴが回動せずに後方且つ上方に動いた後、便座ＳＴは回動する（前端ＳＴａの位置ＳＴａ２〜ＳＴａ４、後端ＳＴｂの位置ＳＴｂ２〜ＳＴｂ４）。換言すれば、便座ＳＴの回動角度の変化量が第一変化量である第一領域（前端ＳＴａの位置ＳＴａ１〜ＳＴａ２、後端ＳＴｂの位置ＳＴｂ１〜ＳＴｂ２）の後に、便座ＳＴの回動角度の変化量が第二変化量である第二領域（前端ＳＴａの位置ＳＴａ２〜ＳＴａ４、後端ＳＴｂの位置ＳＴｂ２〜ＳＴｂ４）が形成されるように駆動され、第一変化量は０であるから、第一変化量よりも第二変化量が大きいように駆動されている。
【００６０】
このように便座ＳＴを動かすことで、第一領域（前端ＳＴａの位置ＳＴａ１〜ＳＴａ２、後端ＳＴｂの位置ＳＴｂ１〜ＳＴｂ２）においては便座ＳＴの回動角度を比較的小さく保ちつつ便座ＳＴを後方且つ上方に動かすことになり、使用者Ｈの膝Ｈｂの関節を確実に広げて起立姿勢における膝Ｈｂの関節の角度に近づけることができる。第一領域の後に形成される第二領域（前端ＳＴａの位置ＳＴａ２〜ＳＴａ４、後端ＳＴｂの位置ＳＴｂ２〜ＳＴｂ４）においては、膝Ｈｂの状態が起立して体を支える状態に近づいている使用者Ｈを起立姿勢に移行させるために、便座ＳＴの回動角度を比較的大きくし、使用者Ｈを起立させやすくしている。このように構成することで、膝Ｈｂの関節が十分に広がっていない状態で便座ＳＴが過度に回動してしまい、重心が足より前方に移動してしまったり、起立する準備が整っていない足側にかかる荷重が臀部側に比較して増えてしまったりする結果として使用者Ｈがバランスを崩すことを確実に回避できる。
【００６１】
また図５に示すように、便座ＳＴが前方に動き、且つ便座ＳＴの先端ＳＴａがその後端ＳＴｂよりも下がるように回動しながら便座ＳＴ全体が上方に動くように駆動されている（前端ＳＴａの位置ＳＴａ４〜ＳＴａ９、後端ＳＴｂの位置ＳＴｂ４〜ＳＴｂ９）。
【００６２】
このように、便座ＳＴが前方に動くことに加えて、便座ＳＴの先端ＳＴａが下端ＳＴｂよりも更に下がるように回動するので、使用者Ｈの足裏が床から離れないように便座ＳＴを動かすことができる。このように使用者Ｈの膝Ｈｂの関節も広げて伸ばしつつ足首Ｈａの関節も広げて伸ばした後に、便座ＳＴ全体が前方且つ上方に動くように動かしているので、足裏を床から離れないように当接させながら立ち上がる体勢及び起立姿勢へとより自然に移行させることができる。
【００６３】
また図５に示すように、便座ＳＴが後方に動く際の垂直上方への移動距離である第一上昇移動量Ｙ１が、便座ＳＴが前方に動く際の垂直上方への移動距離である第二上昇移動量Ｙ２よりも小さくなるように駆動されている。
【００６４】
本実施形態では、上述したように便座ＳＴを後方且つ上方に動かして、使用者Ｈの足首Ｈａの関節及び膝Ｈｂの関節を広げた後に、便座ＳＴを前方に動かしている。このように便座ＳＴを動かすことで、使用者Ｈが便座ＳＴにもたれかかった状態を維持したまま足首Ｈａの関節及び膝Ｈｂの関節を広げて立ち上がる準備をし、その準備が整って立ち上がる体勢となった後に便座ＳＴを前方に動かして起立姿勢に移行させている（図２参照）。従って、主に使用者Ｈが足首Ｈａの関節及び膝Ｈｂの関節を広げて立ち上がる準備をする段階である便座ＳＴの後方移動段階では、まだ完全には立ち上がる準備ができていない場合もあり、その点について十分な配慮が求められる。そこで本実施形態では、便座ＳＴが後方に動く際の垂直上方への移動距離である第一上昇移動量Ｙ１が、便座ＳＴが前方に動く際の垂直上方への移動距離である第二上昇移動量Ｙ２よりも小さくなるようにすることで、まだ立ち上がる準備ができていないおそれがある段階での便座ＳＴの上昇を抑制し、便座ＳＴの過度の上昇によって使用者Ｈが便座からずり落ちたり、膝Ｈｂの関節が十分に広がっておらず荷重を受け止められない状態で足に荷重が掛かってしまったりといった事態の発生を確実に回避することができる。
【００６５】
また図５に示すように、便座ＳＴが前方に動く際に、便座ＳＴの先端ＳＴａが便器ＴＢの先端の位置ＢＦよりも更に前方の位置ＳＴａ９に位置するまで動くように駆動されている。
【００６６】
本実施形態では、便座ＳＴを前方に動かしている段階であっても、実際には使用者Ｈは便座ＳＴに少なくとも体重の一部を預けて寄りかかった状態となっている場合が多い。そこで本実施形態では、便座ＳＴが前方に動く際に、便座ＳＴの先端ＳＴａが便器ＴＢの先端の位置ＢＦよりも更に前方の位置ＳＴａ９に位置するまで動かしているので、使用者Ｈは両膝Ｈｂの関節が十分に伸びた段階で起立姿勢になるように両足への体重移動を円滑に行うことができる。従って、下肢の筋肉が弱っている方々であっても、起立するまでに無理に体重を支えることがなく、起立する準備と呼応させて使用者Ｈを起立させることができる。
【００６７】
図６に示すように、本実施形態に係る便座昇降装置ＳＡでは、便座ＳＴが後方に動き且つ便座ＳＴの先端ＳＴａがその後端ＳＴｂよりも下がって回動する際の回動角度の変化量Δθ１が、便座ＳＴが前方に動き且つ便座ＳＴの先端ＳＴａがその後端ＳＴｂよりも下がって回動する際の回動角度の変化量Δθ２よりも小さくなるように駆動されている。ここで、変化量Δθ１は、位置ＳＴａ１，ＳＴｂ１における便座ＳＴの角度を基準として、位置ＳＴａ４，ＳＴｂ４における便座ＳＴの角度の変化量を示すものである。また、変化量Δθ２は、位置ＳＴａ４，ＳＴｂ４における便座ＳＴの角度を基準として、位置ＳＴａ９，ＳＴｂ９における便座ＳＴの角度の変化量を示すものである。
【００６８】
このように便座ＳＴを動かすことで、主に使用者Ｈが足首Ｈａの関節及び膝Ｈｂの関節を広げて立ち上がる準備をする段階である便座ＳＴの後方移動段階においては、便座ＳＴの回動角度を比較的抑制することで使用者Ｈの重心を十分に後方に下げ、足首Ｈａの関節及び膝Ｈｂの関節の広がりを確保することができる。また、使用者Ｈが足首Ｈａの関節及び膝Ｈｂの関節を広げて立ち上がる準備をした後で、主に使用者Ｈが立ち上がる体勢（図２の（ｂ）に示す体勢）から起立姿勢（図２の（ｄ）に示す姿勢）に移行する段階である便座ＳＴの前方移動段階においては、便座ＳＴの回動角度を比較的大きくすることで起立姿勢への移行をより円滑に補助することができる。
【００６９】
図７に示すように、本実施形態に係る便座昇降装置ＳＡでは、便座ＳＴが前方に動く際に、便座ＳＴの回動角度の変化量が第三変化量Δθ３である第三領域（前端ＳＴａの位置ＳＴａ４〜ＳＴａ６、後端ＳＴｂの位置ＳＴｂ４〜ＳＴｂ６）の後に、便座ＳＴの回動角度の変化量が第四変化量Δθ４である第四領域（前端ＳＴａの位置ＳＴａ７〜ＳＴａ９、後端ＳＴｂの位置ＳＴｂ７〜ＳＴｂ９）が形成されるように駆動され、第四変化量Δθ４よりも第三変化量Δθ３が大きくなるように駆動されている。
【００７０】
このように便座ＳＴを動かすことで、主に使用者Ｈが足首Ｈａの関節及び膝Ｈｂの関節を広げて立ち上がる準備をする段階である便座ＳＴの後方移動段階を経て、主に使用者Ｈが立ち上がる体勢（図２の（ｂ）に示す体勢）から起立姿勢（図２の（ｄ）に示す姿勢）に移行する段階である便座ＳＴの前方移動段階に移行した後の初期段階において、立ち上がる体勢ができている使用者Ｈを早期に起立姿勢に移行させて、使用者Ｈにとっての立ち上がり動作の違和感を低減させている。
【００７１】
図８に示すように、便座ＳＴが前方に動く際に、便座ＳＴの回動角度の変化量が第五変化量Δθ５である第五領域（前端ＳＴａの位置ＳＴａ５〜ＳＴａ６、後端ＳＴｂの位置ＳＴｂ５〜ＳＴｂ６）の後に、便座ＳＴの回動角度の変化量が第六変化量Δθ６である第六領域（前端ＳＴａの位置ＳＴａ８〜ＳＴａ９、後端ＳＴｂの位置ＳＴｂ８〜ＳＴｂ９）が形成されるように駆動するものであって、第六変化量Δθ６よりも第五変化量Δθ５が大きい。図８に示すように、第五領域（前端ＳＴａの位置ＳＴａ５〜ＳＴａ６、後端ＳＴｂの位置ＳＴｂ５〜ＳＴｂ６）は、便座ＳＴの先端ＳＴａが便器ＴＢの先端の位置ＢＦよりも後方に位置する領域に形成され、第六領域（前端ＳＴａの位置ＳＴａ８〜ＳＴａ９、後端ＳＴｂの位置ＳＴｂ８〜ＳＴｂ９）は、便座ＳＴの先端ＳＴａが便器ＴＢの先端の位置ＢＦよりも前方に位置する領域に形成されている。
【００７２】
このように、便座ＳＴの先端ＳＴａが便器ＴＢの先端の位置ＢＦよりも後方に位置する領域に、便座ＳＴの回動角度が比較的大きい第五領域（前端ＳＴａの位置ＳＴａ５〜ＳＴａ６、後端ＳＴｂの位置ＳＴｂ５〜ＳＴｂ６）が形成され、便座ＳＴの先端ＳＴａが便器ＴＢの先端の位置ＢＦよりも前方に位置する領域に、便座ＳＴの回動角度が比較的小さい第六領域（前端ＳＴａの位置ＳＴａ８〜ＳＴａ９、後端ＳＴｂの位置ＳＴｂ８〜ＳＴｂ９）が形成されている。本実施形態では、使用者Ｈは両膝関節が十分に伸びた段階で起立姿勢になるように両足への体重移動を円滑に行うために、便座ＳＴの先端ＳＴａが便器ＴＢの先端の位置ＢＦよりも更に前方における位置ＳＴａ９に位置するまで動かしているので、この段階で便座ＳＴの回動角度を大きくすると、使用者Ｈは後方から突き飛ばされるような感覚を受けてしまう。そこで便座ＳＴの回動角度を抑制することで、使用者Ｈが後方から突き飛ばされるような感覚を受けることなく、両膝関節が十分に伸びた段階で起立姿勢になるように両足への体重移動を円滑に行うことができる。
【００７３】
尚、便座ＳＴの先端ＳＴａが便器ＴＢの先端の位置ＢＦよりも前方に動く領域では、便座ＳＴを回動させないように駆動することも好ましい態様である。このように、便座ＳＴの先端ＳＴａが便器ＴＢの先端の位置ＢＦよりも前方に動く領域では便座ＳＴを回動させないようにすることで、確実に使用者Ｈが後方から突き飛ばされるような感覚を受けることなく、両膝関節が十分に伸びた段階で起立姿勢になるように両足への体重移動を円滑に行うことができる。
【００７４】
尚、本実施形態では、便座支持部１６は、便座ＳＴをその上に戴置し固定することで便座ＳＴを支持するように構成したけれども、便座支持部１６が便座ＳＴを支持する態様はこれに限られるものではない。例えば、便座支持部１６と便座ＳＴとを一体的に構成することも好ましい。
【００７５】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７６】
ＴＢ：大便器
ＳＡ：便座昇降装置
ＳＴ：便座
１０：装置本体
１２：駆動機構部
１４：駆動リンク部
１６：便座支持部
１８：肘掛け
【図１】
0005594567.tif 000002
【図２】
0005594567.tif 000003
【図３】
0005594567.tif 000004
【図４】
0005594567.tif 000005
【図５】
0005594567.tif 000006
【図６】
0005594567.tif 000007
【図７】
0005594567.tif 000008
【図８】
0005594567.tif 000009